(57)【特許請求の範囲】
【請求項１】
カセットシェルの内部にテープ状記録媒体を巻装したテープリールが回転自在に支持されたテープカセットの上記テープリールをロックするリールロック機構で、２つのテープリールとカセットシェルの背面壁の内面との間の空間（以下「三角スペース」という。）に配設され、前後方向に移動自在に支持されたスライダーと、該スライダーの左右両側部に回動自在に支持された２つのロック片と、上記スライダーを前方に押圧するスライド用バネと、上記ロック片をテープリールに係合する方向に回動付勢するロック用バネとを有し、スライダーの前進によりロック片の係止爪がテープリールの係合歯に係合することによりロックが為され、また、テープカセットのテープドライブ装置への装着により上記スライダーが後退し、かつ、上記ロック片が回動されて上記リールロックが解除されるリールロック機構において、
テープリールの係合歯の凹凸のうち、凹部の底面が扁平な山型に形成され、凸部の両角部がテーパ面に形成されており、また、ロック片の係止爪には、上記凹部の山型底面の一方の面と該凹部の後方側に隣接する凸部の一方のテーパ面とを架け渡す跨部が形成された
ことを特徴とするテープリールのリールロック機構。
【請求項２】
カセットシェルの内部にテープ状記録媒体を巻装したテープリールが回転自在に支持されたテープカセットの上記テープリールをロックするリールロック機構を有したテープカセットであって、
リールロック機構は、２つのテープリールとカセットシェルの背面壁の内面との間の空間（以下「三角スペース」という。）に配設され、前後方向に移動自在に支持されたスライダーと、該スライダーの左右両側部に回動自在に支持された２つのロック片と、上記スライダーを前方に押圧するスライド用バネと、上記ロック片をテープリールに係合する方向に回動付勢するロック用バネとを有し、スライダーの前進によりロック片の係止爪がテープリールの係合歯に係合することによりロックが為され、また、テープカセットのテープドライブ装置への装着により上記スライダーが後退し、かつ、上記ロック片が回動されて上記リールロックが解除されるようになっており、
テープリールの係合歯の凹凸のうち、凹部の底面が扁平な山型に形成され、凸部の両角部がテーパ面に形成されており、また、ロック片の係止爪には、上記凹部の山型底面の一方の面と該凹部の後方側に隣接する凸部の一方のテーパ面とを架け渡す跨部が形成された
ことを特徴とするテープカセット。
【発明の詳細な説明】
【０００１】
【発明の属する技術分野】
本発明はテープカセットのリールロック機構及びこれを用いたテープカセットに関する。詳しくは、テープリールのロック解除時のテープリールの逆回転を防止する技術に関する。
【０００２】
【従来の技術】
テープカセットは、通常、テープ状記録媒体、例えば、磁気テープを巻装した２つのテープリールをカセットシェル内において回転自在に収納されている。
【０００３】
テープカセットには、テープドライブ装置に装着されていない状態、すなわち、非装着時にテープリールの回転を阻止するリールロック機構が設けられているものがあり、これにより、非装着時に、テープカセットに振動等が加わったときでも磁気テープが弛むようなことがないようになっている。
【０００４】
図１、図２及び図４乃至図７並びに図１３乃至図１７に、従来のリールロック機構ａを備えたテープカセットｂの一例を示す。なお、図１、図２及び図４乃至図７は、後述する本発明にかかる実施の形態においても用いる図面であり、符号のうち、括弧書きされたアルファベットで示したものが従来の技術に関するものである。なお、図４及び図５において示すもののうち、ロック片の先端部である係止爪の形状は、本発明にかかる実施の形態のものであり、この点のみ従来の技術のものと相違する。従来の技術にかかるロック片の先端部である係止爪の形状については、図１３乃至図１７を参照されたい。
【０００５】
テープカセットｂは、カセットシェルｃ内に、磁気テープｄを巻装した２つのテープリールｅ、ｅが回転自在に収納されており、これらテープリールｅ、ｅの下フランジの外周縁には凹凸状の係合歯ｆ、ｆ、・・・が多数形成されている（図１３乃至図１７参照）。
【０００６】
リールロック機構ａは、カセットシェルｃ内の、２つのテープリールｅ、ｅと背面壁とにより囲まれたほぼ三角形をしたスペース（三角スペース）に設けられ、カセットシェルｃの底面であって上記リールロック機構ａの位置する部位には矩形孔ｇが形成されており、当該テープカセットｂがテープドライブ装置に装着されたときに装置側の挿入ピンｈが上記矩形孔ｇからカセットシェルｃ内に侵入し（図６、図７参照）、該挿入ピンｈが上記リールロック機構ａに作用してテープリールｅ、ｅのロックを解除するようになっている。
【０００７】
リールロック機構ａは、スライダーｉと２つのロック片ｊ、ｊとロック用バネｋとスライド用バネｌとから成る（図４、図５参照）。
【０００８】
スライダーｉは上記三角スペース内において前後方向に移動自在に支持され、その後端部には左右に離間して支持軸ｍ、ｍが上方へ向けて突設され、また、スライダーｉの上記支持軸ｍ、ｍ間には上方及び後方へ開口する配置凹部ｎが形成されている（図４、図５参照）。
【０００９】
スライダーｉの配置凹部ｎより前側のブロックの下面には装置側の上記挿入ピンｈが挿入されるピン挿入凹部ｏが形成され、また、該ピン挿入凹部ｏの後側の側縁は後方へ行くにしたがい下方へ偏倚する傾斜面ｐが形成されている（図６、図７参照）。
【００１０】
ロック片ｊ、ｊは、平面から見て全体が「ヘの字」状の１枚の板状部材からなり、その後端には「ヘの字」に対して垂直に延びる円筒状の被支持部ｑ、ｑが一体に形成され、また、前端部は互いに離間する方向に折れ曲がり、その先端は先細り状になった係止爪ｒ、ｒが形成されている（図１３乃至図１７参照）。
【００１１】
ロック片ｊの被支持部ｑと係止爪ｒとの間の位置であって、その上側縁にはバネ掛け部ｓが一体に形成され（図４、図５参照）、また、ロック片ｊの被支持部ｑ寄りの内側には下方に向かって垂設するピンが形成され、該ピンは後述するカム部に当接されてロック片ｊを回動させるカムフォロアーｔとなっている（図１３乃至図１７参照）。
【００１２】
そして、ロック片ｊは、その被支持部ｑが上記スライダーｉの支持軸ｍに外嵌されて回動自在に支持されている（図４、図５参照）。
【００１３】
なお、ロック片ｊには回り止めが設けられ、テープリールｅの係合歯ｆに係合する方向への回動が所定の角度以上にならないようになっている。
【００１４】
ロック用バネｋは異形のねじりバネであり、左右に離間して位置するコイル部と該コイル部間を連結する連結部とコイル部から突出されそれぞれ連結部の外側に位置する係止部とが一体に形成されて成り、２つのコイル部が上記支持軸ｍ、ｍに被支持部ｑ、ｑの上側にそれぞれ外嵌して支持され、２つの係止部が２つのロック片ｊ、ｊのバネ掛け部ｓ、ｓにそれぞれ係合されており（図４、図５参照）、これにより、ロック片ｊ、ｊの係止爪ｒ、ｒが互いに離間する方向に、すなわち、係止爪ｒ、ｒがテープリールｅ、ｅの係合歯ｆ、ｆに係合する方向に回動付勢されるようになっている（図１３乃至図１７参照）。
【００１５】
スライド用バネｌは圧縮コイルバネであり、カセットシェルｃの背面壁内面と、スライダーｉの上記配置凹部ｎとの間に縮設され、これにより、スライダーｉは前方への付勢力が付与されている（図１３乃至図１７参照）。
【００１６】
カセットシェルｃ内の上記スライダーｉが設けられた部位の左右両脇には、その底面から背の低いリブｕ、ｕが立設され、該リブｕ、ｕは平面から見て、スライダーｉのスライド方向に延びる部分とテープリールｅ、ｅの外周縁より一回り大きな部分とロック片ｊ、ｊの移動軌跡中に位置する部分とを有し、そのうち、ロック片ｊ、ｊの移動軌跡中に位置する部分、具体的には上記カムフォロアーｔ、ｔに対応した部分がロック片ｊ、ｊの回動を規制するカム部ｖ、ｖとなっている（図４、図１３乃至図１７参照）。
【００１７】
そして、テープカセットｂがテープドライブ装置に装着されていない状態においては、スライダーｉが前方に付勢され（図６参照）、ロック片ｊ、ｊのカムフォロアーｔ、ｔがカム部ｖ、ｖから離間した位置に位置し、これにより、ロック片ｊ、ｊは先端の係止爪ｒ、ｒが互いに開く方向に回動されて、テープリールｅ、ｅの係合歯ｆ、ｆに係合され、テープリールｅ、ｅのロック状態が形成される（図１３参照）。
【００１８】
しかも、スライダーｉには前方への付勢力があるため、係止爪ｒ、ｒを介して２つのテープリールｅ、ｅはともに磁気テープｄが緊張する方向への回転力が付与されており、これにより、リールロック状態においては、磁気テープｄは緊張状態が維持される。
【００１９】
そして、当該テープカセットｂをテープドライブ装置に装着すると、装置側の挿入ピンｈがカセットシェルｃの矩形孔ｇからカセットシェルｃ内に侵入し（図６参照）、スライダーｉのピン挿入凹部ｏの傾斜面ｐに当接し、装着が完了すると、上記挿入ピンｈが傾斜面ｐを後方に押圧してスライダーｉを後退せしめ（図７参照）、これにより、ロック片ｊ、ｊのカムフォロアーｔ、ｔがカム部ｖ、ｖに倣って移動するため、ロック片ｊ、ｊが回動してテープリールｅ、ｅへのロックが解除される（図１３乃至図１７参照）。
【００２０】
図１３乃至図１７は、テープリールｅのロック状態からアンロック状態へ移行していくリールロック機構ａの様子を示す拡大平面図である。
【００２１】
【発明が解決しようとする課題】
ところで、上記従来のテープカセットｂのリールロック機構ａにあっては、ロック解除時において、テープリールｅを磁気テープｄが弛緩する方向に回動させてしまい、カセットシェルｃから出された磁気テープｄ部分に弛みが発生してしまう。これは、テープカセットｂのテープドライブ装置への装着後、テープパスの形成がうまくいかなかくなったり、装置側に磁気テープｄが絡んだりしてしまうという事故に発展する虞がある。
【００２２】
すなわち、テープリールｅのロック状態とは、係止爪ｒの先端がテープリールｅの係合歯ｆの凹部ｗのうち前方側の角部に位置した状態であり（図１３参照）、この状態からスライダーｉが後方へ移動すると、係止爪ｒが係合している上記凹部ｗに隣接する後側の凸部ｘ（図において「・」印を記した部位の凸部ｘ）に係止爪ｒが引っ掛かり（図１４参照）、さらに、スライダーｉの後退により引っ掛かった凸部ｘを後方へ移動させ、テープリールｅを磁気テープｄが弛緩する方向に回動させてしまうことになる（図１５参照）。
【００２３】
そこで、本発明は、テープリールのロック解除時のテープリールの逆回転を防止して、磁気テープの弛みの発生を極力少なくすることを課題とする。
【００２４】
【課題を解決するための手段】
そして、本発明テープカセットのリールロック機構は、上記した課題を解決するために、カセットシェルの内部にテープ状記録媒体を巻装したテープリールが回転自在に支持されたテープカセットの上記テープリールをロックするリールロック機構で、２つのテープリールとカセットシェルの背面壁の内面との間のいわゆる三角スペースに配設され、前後方向に移動自在に支持されたスライダーと、該スライダーの左右両側部に回動自在に支持された２つのロック片と、上記スライダーを前方に押圧するスライド用バネと、上記ロック片をテープリールに係合する方向に回動付勢するロック用バネとを有し、スライダーの前進によりロック片の係止爪がテープリールの係合歯に係合することによりロックが為され、また、テープカセットのテープドライブ装置への装着により上記スライダーが後退し、かつ、上記ロック片が回動されて上記リールロックが解除されるリールロック機構において、テープリールの係合歯の凹凸のうち、凹部の底面を扁平な山型に形成し、凸部の両角部をテーパ面に形成して、また、ロック片の係止爪には、上記凹部の山型底面の一方の面と該凹部の後方側に隣接する凸部の一方のテーパ面とを架け渡す跨部を形成したものである。
【００２５】
また、本発明テープカセットは、カセットシェルの内部にテープ状記録媒体を巻装したテープリールが回転自在に支持されたテープカセットの上記テープリールをロックするリールロック機構を有したテープカセットであって、リールロック機構は、２つのテープリールとカセットシェルの背面壁の内面との間のいわゆる三角スペースに配設され、前後方向に移動自在に支持されたスライダーと、該スライダーの左右両側部に回動自在に支持された２つのロック片と、上記スライダーを前方に押圧するスライド用バネと、上記ロック片をテープリールに係合する方向に回動付勢するロック用バネとを有し、スライダーの前進によりロック片の係止爪がテープリールの係合歯に係合することによりロックが為され、また、テープカセットのテープドライブ装置への装着により上記スライダーが後退し、かつ、上記ロック片が回動されて上記リールロックが解除されるようになっており、テープリールの係合歯の凹凸のうち、凹部の底面を扁平な山型に形成し、凸部の両角部をテーパ面に形成して、また、ロック片の係止爪には、上記凹部の山型底面の一方の面と該凹部の後方側に隣接する凸部の一方のテーパ面とを架け渡す跨部を形成したものである。
【００２６】
したがって、本発明テープリールのリールロック機構及びテープカセットにあっては、当該テープカセットをテープドライブ装置に装着して、スライダーが後方へ移動されたとき、ロック片の係止爪がテープリールの係合歯の凸部に引っ掛かることがなく、よって、ロック片の後退においてもテープリールが回転されることはなく、緊張したテープ状記録媒体が弛むことはない。
【００２７】
これにより、テープドライブ装置への装着の際に、テープ状記録媒体の弛むにより、テープパスの形成がうまくいかなかくなったり、装置側にテープ状記録媒体が絡んだりしてしまうという事故を防止することができる。
【００２８】
また、テープリールの上記凹部及び凸部の形状は、それぞれ半径に対して対称であるため、２つのテープリール（供給側リールと巻き取りリール）を各別の専用部品とすることなく、共通部品とすることができるため、上記効果を奏するための構成としてコストアップを招来することもない。
【００２９】
【発明の実施の形態】
以下に、本発明テープカセットのリールロック機構及びこれを用いたテープカセットの詳細を図１乃至図１２に示した実施の形態に従って説明する。
【００３０】
テープカセット１は、上シェル２と下シェル３とから成るカセットシェル４内に、磁気テープ５を巻装した２つのテープリール６、６が回転自在に収納されており、これらテープリール６、６の下フランジ６ａ、６ａの外周縁には凹凸状の係合歯７、７、・・・が多数形成されている（図１乃至図３参照）。
【００３１】
かかる係合歯７、７、・・・の具体的な形状は、その凹部８の底面９が扁平な山に形成され、また、凸部１０の両角部が切り落とされてテーパ面１０ａ、１０ａに形成されている。なお、後述するように、係合歯７の各凹部８及び各凸部１０は半径に対してそれぞれ線対称に形成されており、したがって、２つのテープリール６、６は、同形状になっている（図８乃至図１２参照）。
【００３２】
そして、上記凹部８の山型底面９のうち一方の面９ａと、他方の面９ｂを挟んで隣接する凸部１０（図において「・」印を記した部位の凸部１０）の近接する側の一方のテーパ面１０ａとが、ほぼ面一になるように形成されている。また、凹部８及び凸部９はともに半径に対して線対称に形成されており、したがって、凹部８の一方の面９ａと他方の面９ｂとは半径に対して同じ傾斜角で形成されており、また、凸部１０の一方のテーパ面１０ａと他方のテーパ面１０ｂとは半径に対して同じ傾斜角で形成されている（図８乃至図１２参照）。
【００３３】
なお、凹部８と凸部１０とは円周方向における幅寸法は必ずしも同じである必要はない。
【００３４】
カセットシェル４の前端部には、該カセットシェル４の前面に沿って位置する磁気テープ５の前面側を覆うフロントリッド１１が回動自在に支持されている（図１及び図２参照）。
【００３５】
リールロック機構１２は、カセットシェル４内の、２つのテープリール６、６と背面壁１３とにより囲まれたほぼ三角形をしたスペース（三角スペース）１４に設けられ、下シェル３の底面であって上記リールロック機構１２が位置する部位には矩形孔１５が形成されており、当該テープカセット１がテープドライブ装置に装着されたときに装置側の挿入ピン１６が上記矩形孔１５からカセットシェル４内に侵入し（図６及び図７参照）、該挿入ピン１６が上記リールロック機構１２に作用してテープリール６、６のロックを解除するようになっている（図８乃至図１２参照）。
【００３６】
リールロック機構１２は、スライダー１７と２つのロック片１８、１８とロック用バネ１９とスライド用バネ２０とから成る（図４、図５参照）。
【００３７】
スライダー１７は下シェル３に前後方向に移動自在に支持され、その後端部には左右に離間して支持軸２１、２１が上方へ向けて突設され、また、スライダー１７の上記支持軸２１、２１間には上方及び後方へ開口する配置凹部２２が形成されている（図３乃至図５参照）。
【００３８】
スライダー１７の配置凹部２２より前側のブロックの下面には装置側の上記挿入ピン１６が挿入されるピン挿入凹部２３が形成され、また、該ピン挿入凹部２３の後側の側縁は後方へ行くにしたがい下方へ偏倚する傾斜面２４が形成されている（図６及び図７参照）。
【００３９】
２つのロック片１８、１８は、左右対称の形状を呈しており、平面から見て全体がほぼ「ヘの字」状の１枚の板状部材からなり、その後端には「ヘの字」に対して垂直に延びる円筒状の被支持部２５、２５が一体に形成され、また、前端部は互いに離間する方向に折れ曲がり、さらにその先端は先細り状になった係止爪２６、２６が形成されている（図４、図５、図８乃至図１２参照）。
【００４０】
そして、該係止爪２６はそのテープリール側を向いた面が平面に形成され、該平面部２７の前後方向の幅は、面一に形成された上記係合歯７の凹部８の一方の面９ａと一方のテーパ面１０ａとの間の距離よりも大きく形成されている。なお、かかる平面部２７は特許請求の範囲における「跨部」に相当する。
【００４１】
ロック片１８の被支持部２５と係止爪２６との間の位置であって、その上側縁にはバネ掛け部２９が一体に形成され、また、ロック片１８の被支持部２５寄りの内側には下方に向かって垂設するピンが形成され、該ピンは後述するカム部に当接されてロック片１８を回動させるカムフォロアー３０となっている（図４、図５、図８乃至図１２参照）。
【００４２】
そして、ロック片１８、１８は、その被支持部２５、２５が上記スライダー１７の支持軸２１、２１に各別に外嵌されて回動自在に支持される（図４、図５参照）。
【００４３】
なお、ロック片１８には回り止め手段が設けられており、テープリール６の係合歯７に係合する方向への回動が所定の角度以上にならないようになっている。具体的には、スライダー１７がその移動範囲中、最前端よりもやや後方の位置においてロック片１８の係止爪２６の先端がテープリール６の下フランジ６ａの外周縁に接する程度までの回動角になっていて、係止爪の上記平面部２７が前後方向とほぼ一致した状態であり、図８乃至図１０の状態が上記回り止め手段が効いた状態で、これ以上係止爪２６がテープリール６側に回動しないようになっている。
【００４４】
ロック用バネ１９は異形のねじりバネであり、左右に離間して位置するコイル部３１、３１と該コイル部３１、３１間を連結する連結部３２とコイル部３１、３１から突出されそれぞれ連結部３２の外側に位置する係止部３３、３３とが一体に形成されて成り、２つのコイル部３１、３１が上記支持軸２１、２１に被支持部２５の上側にそれぞれ外嵌して支持され、２つの係止部３３、３３がロック片１８、１８のバネ掛け部２９、２９にそれぞれ係合されており、これにより、２つのロック片１８、１８はその係止爪２６、２６が互いに離間する方向に、すなわち、係止爪２６、２６がテープリール６、６の係合歯７、７に係合する方向に回動付勢されている（図４参照）。
【００４５】
スライド用バネ２０は圧縮コイルバネであり、カセットシェル４の背面壁１３内面と、スライダー１７の上記配置凹部２２との間に縮設され、これにより、スライダー１７は前方への付勢力が付与されている（図６、図７、図８乃至図１２参照）。
【００４６】
カセットシェル４内の上記スライダー１７が設けられた部位の左右両脇には、その底面から背の低いリブ３４、３４が立設され、該リブ３４、３４は平面から見て、スライダー１７のスライド方向に延びる部分とテープリール６、６の外周縁より一回り大きな部分とロック片１８、１８の移動軌跡中に位置する部分とを有し、そのうち、ロック片１８、１８の移動軌跡中に位置する部分、具体的には上記カムフォロアー３０、３０に対応した部分がロック片１８、１８の回動を規制するカム部３５、３５となっている（図４、図５参照）。
【００４７】
次に、当該リールロック機構１２の動作について説明する。図６及び図７は要部を拡大して示す断面図であり、図８乃至図１２は要部を拡大して示す平面図である。また、図６及び図８はテープリール６のロック状態であり、図７及び図１２はテープリール６のアンロック状態を示し、以下、ロック状態からアンロック状態へ移行していく様子を図面にしたがって説明する。
【００４８】
図６及び図８は、当該テープカセット１がテープドライブ装置に装着されていない状態で、リールロック機構１２がテープリール６、６をロックしている状態である。
【００４９】
かかる状態においては、上記スライド用バネ２０によりスライダー１７が前方に付勢され、ロック片１８、１８のカムフォロアー３０、３０がカム部３１、３１から離間して位置し、これにより、ロック片１８、１８は先端の係止爪２６、２６が互いに開く方向に回動されて、テープリール６、６の係合歯７、７の凹部８、８に係合され、テープリール６、６のロック状態が形成される（図８参照）。
【００５０】
しかも、スライダー１７には前方への付勢力があるため、係止爪２６、２６を介して２つのテープリール６、６はともに磁気テープ５が緊張する方向への回転力が付与されており、これにより、リールロック状態においては、磁気テープ５は緊張状態が維持される（図８参照）。
【００５１】
そして、図８で解るように、ロック片１８の係止爪２６の先端部、すなわち、上記平面部２７の前側縁２８ａはテープリール６の係合歯７の凹部８の底面であってその一方の角部に係止し、かつ、係止爪２６の平面部２７は凹部８の一方の面９ａにほぼ面接触している。
【００５２】
つぎに、当該テープカセット１をテープドライブ装置に装着すると、装置側の挿入ピン１６がカセットシェル４の矩形孔１５からカセットシェル４内に侵入し、スライダー１７のピン挿入凹部２３の傾斜面２４に当接して、スライダー１７をスライド用バネ２０の弾発力に抗して後方へ移動せしめることになる（図９参照）。
【００５３】
そして、スライダー１７が後退を始めると、係止爪２６の平面部２７の前側縁２８ａは上記一方の角部から離間し、平面部２７は上記凹部８の一方の面９ａを滑ってその後側縁２８ｂが凸部１０の一方のテーパ面１０ａに載置される。これは、上述したように凹部８の一方の面９ａと凸部１０の一方のテーパ面１０ａとがほぼ面一に形成されているためである（図９参照）。
【００５４】
さらに、スライダー１７が後退されると、係止爪２６の平面部２７は凹部８の一方の面９ａから離間して凸部１０の一方のテーパ面１０ａのみに載置される（図１０参照）。
【００５５】
このように、ロック片１８が後方へ移動するとき、その係止爪２６がテープリール６の係合歯７の凸部１０に引っ掛かることはない。これは、上述のように、係止爪２６の平面部２７の前後方向の幅が係合歯７の凹部８の一方の面９ａと凸部１０の一方のテーパ面１０ａとの間の間隔よりも大きく形成しているためである。
【００５６】
しかして、ロック片１８がスライダー１７の後退に伴って後方へ移動するとき、テープリール６を引っ掛けて回動させることはなく（図１０参照）、したがって、磁気テープ５が弛むことはない。図８乃至図１２において、上記「・」印を付した凸部１０が動いてないことが解る。
【００５７】
さらに、スライダー１７が後退すると、カムフォロアー３０、３０がカム部３５、３５に当接し（図１１参照）ロック片１８、１８はアンロック方向に回動され、係止爪２６、２６はテープリールから離間される。
【００５８】
そして、スライダー１７が最も後退した状態では、ロック片１８、１８が内側に折り畳まれた状態となり、これにより、テープリールはカセットシェル内での移動可能範囲中における回転が許容され、リールロック機構１２のアンロック状態が形成される。図１２において、２点鎖線で示すテープリール６は、これが最もリールロック機構１２に近接した状態であるが、リールロック機構１２のロック片１８がテープリール６の回転を阻害しない位置まで回動されている。
【００５９】
なお、前記した実施の形態において示した各部の具体的な形状乃至構造は、本発明を実施するに当たっての具体化のほんの一例を示したものに過ぎず、これらによって本発明の技術的範囲が限定的に解釈されることがあってはならないものである。
【００６０】
【発明の効果】
以上に記載したところから明らかなように、本発明テープカセットのリールロック機構は、カセットシェルの内部にテープ状記録媒体を巻装したテープリールが回転自在に支持されたテープカセットの上記テープリールをロックするリールロック機構で、２つのテープリールとカセットシェルの背面壁の内面との間のいわゆる三角スペースに配設され、前後方向に移動自在に支持されたスライダーと、該スライダーの左右両側部に回動自在に支持された２つのロック片と、上記スライダーを前方に押圧するスライド用バネと、上記ロック片をテープリールに係合する方向に回動付勢するロック用バネとを有し、スライダーの前進によりロック片の係止爪がテープリールの係合歯に係合することによりロックが為され、また、テープカセットのテープドライブ装置への装着により上記スライダーが後退し、かつ、上記ロック片が回動されて上記リールロックが解除されるリールロック機構において、テープリールの係合歯の凹凸のうち、凹部の底面を扁平な山型に形成し、凸部の両角部をテーパ面に形成して、また、ロック片の係止爪には、上記凹部の山型底面の一方の面と該凹部の後方側に隣接する凸部の一方のテーパ面とを架け渡す跨部を形成したことを特徴とする。
【００６１】
また、本発明テープカセットは、カセットシェルの内部にテープ状記録媒体を巻装したテープリールが回転自在に支持されたテープカセットの上記テープリールをロックするリールロック機構を有したテープカセットであって、リールロック機構は、２つのテープリールとカセットシェルの背面壁の内面との間のいわゆる三角スペースに配設され、前後方向に移動自在に支持されたスライダーと、該スライダーの左右両側部に回動自在に支持された２つのロック片と、上記スライダーを前方に押圧するスライド用バネと、上記ロック片をテープリールに係合する方向に回動付勢するロック用バネとを有し、スライダーの前進によりロック片の係止爪がテープリールの係合歯に係合することによりロックが為され、また、テープカセットのテープドライブ装置への装着により上記スライダーが後退し、かつ、上記ロック片が回動されて上記リールロックが解除されるようになっており、テープリールの係合歯の凹凸のうち、凹部の底面を扁平な山型に形成し、凸部の両角部をテーパ面に形成して、また、ロック片の係止爪には、上記凹部の山型底面の一方の面と該凹部の後方側に隣接する凸部の一方のテーパ面とを架け渡す跨部を形成したことを特徴とする。
【００６２】
したがって、本発明テープリールのリールロック機構及びテープカセットにあっては、当該テープカセットをテープドライブ装置に装着して、スライダーが後方へ移動されたとき、ロック片の係止爪がテープリールの係合歯の凸部に引っ掛かることがなく、よって、ロック片の後退においてもテープリールが回転されることはなく、緊張したテープ状記録媒体が弛むことはない。
【００６３】
これにより、テープドライブ装置への装着の際に、テープ状記録媒体の弛むにより、テープパスの形成がうまくいかなかくなったり、装置側にテープ状記録媒体が絡んだりしてしまうという事故を防止することができる。
【００６４】
また、テープリールの上記凹部及び凸部の形状は、それぞれ半径に対して対称であるため、２つのテープリール（供給側リールと巻き取りリール）を各別の専用部品とすることなく、共通部品とすることができるため、上記効果を奏するための構成としてコストアップを招来することもない。
【図面の簡単な説明】
【図１】図２乃至図１０と共に本発明テープカセットのリールロック機構の実施の形態を示すものであり、本図はテープカセットを表側から見た概略斜視図である。
【図２】テープカセットを裏側から見た概略斜視図である。
【図３】テープカセットの上シェルを外した状態を示す概略平面図である。
【図４】リールロック機構を示す拡大斜視図である。
【図５】リールロック機構の拡大分解斜視図である。
【図６】図７とともにリールロック機構を拡大して示す概略縦断面図であり、本図はロック状態を示す。
【図７】アンロック状態を示す。
【図８】図９乃至図１２とともに、リールロック機構の動作を順に示す拡大平面図であり、本図はロック状態を示す。
【図９】図８からロック片が僅かに後退し跨部が係合歯の凹部の一方の面と凸部の一方のテーパ面とに跨った状態を示す。
【図１０】図９からロック片が僅かに後退し、跨部が係合歯の凸部の一方のテーパ面にのみ載った状態を示す。
【図１１】図１０からさらにロック片が後退し、カムフォロアーがカム部に当接した状態示す。
【図１２】図１１からさらにロック片が後退して、ロックが完全に解除された状態を示す。
【図１３】図１４乃至図１７とともに、従来のリールロック機構をその動作を順に説明するための拡大平面図で、本図はロック状態を示す。
【図１４】図１３からロック片がやや後退し係止爪が凸部に引っ掛かった状態を示す。
【図１５】図１４から僅かにロック片が後退し、係止爪が凸部を引っかけれテープリールを回転させている状態を示す。
【図１６】図１５からさらにロック片が後退し、カムフォロアーがカム部に当接した状態示す。
【図１７】図１６からさらにロック片が後退して、ロックが完全に解除された状態を示す。
【符号の説明】
１…テープカセット、４…カセットシェル、５…磁気テープ（テープ状記録媒体）、６…テープリール、７…係合歯、８…凹部、９…底面、９ａ…一方の面、１０…凸部、１０ａ…一方のテーパ面、１０ｂ…他方のテーパ面、１２…リールロック機構、１３…背面壁、１４…三角スペース（空間）、１７…スライダー、１８…ロック片、１９…ロック用バネ、２０…スライド用バネ、２６…係止爪（ロック片）、２７…平面部（跨部）
【図１】
0003593997.tif 000002
【図２】
0003593997.tif 000003
【図３】
0003593997.tif 000004
【図４】
0003593997.tif 000005
【図５】
0003593997.tif 000006
【図６】
0003593997.tif 000007
【図７】
0003593997.tif 000008
【図８】
0003593997.tif 000009
【図９】
0003593997.tif 000010
【図１０】
0003593997.tif 000011
【図１１】
0003593997.tif 000012
【図１２】
0003593997.tif 000013
【図１３】
0003593997.tif 000014
【図１４】
0003593997.tif 000015
【図１５】
0003593997.tif 000016
【図１６】
0003593997.tif 000017
【図１７】
0003593997.tif 000018